(57)【要約】【課題】複数の画像における撮影情報を有効に利用すること。【解決手段】画像取り扱い装置は、複数の撮影画像の縮小画像を並べて表示する画像表示部１１３と、縮小画像の中で指示された画像についての撮影情報を取得する第１撮影情報取得部１０１と、複数の撮影画像の撮影情報をそれぞれ取得する第２撮影情報取得部１０１と、第２撮影情報取得部１０１による取得結果に基づいて撮影情報の値ごとに該当する画像数を示す分布表示を行う分布表示部１１３と、分布表示の中で指示された撮影情報の値に対応する画像についての撮影情報をさらに取得する第３撮影情報取得部１０１と、第１撮影情報取得部１０１または第３撮影情報取得部１０１で取得された撮影情報を送出する撮影情報送出部１０１と、を備える。【選択図】図３
2013172418.tif 000002
【特許請求の範囲】
【請求項１】
複数の撮影画像の縮小画像を並べて表示する画像表示部と、
前記縮小画像の中で指示された画像についての撮影情報を取得する第１撮影情報取得部と、
前記複数の撮影画像の撮影情報をそれぞれ取得する第２撮影情報取得部と、
前記第２撮影情報取得部による取得結果に基づいて前記撮影情報の値ごとに該当する画像数を示す分布表示を行う分布表示部と、
前記分布表示の中で指示された撮影情報の値に対応する画像についての撮影情報をさらに取得する第３撮影情報取得部と、
前記第１撮影情報取得部または前記第３撮影情報取得部で取得された撮影情報を送出する撮影情報送出部と、
を備えることを特徴とする画像取り扱い装置。
【請求項２】
請求項１に記載の画像取り扱い装置において、
前記第１撮影情報取得部は、前記画像表示部による表示後に受付けるユーザ操作によって指示された画像についての撮影情報を取得することを特徴とする画像取り扱い装置。
【請求項３】
請求項１に記載の画像取り扱い装置において、
前記分布表示部は、前記第２撮影情報取得部で取得された撮影情報の項目を並べて表示し、該表示後にユーザ操作によって指示された項目の値ごとに該当する画像数を示す分布表示を行うことを特徴とする画像取り扱い装置。
【請求項４】
請求項１に記載の画像取り扱い装置において、
前記第３撮影情報取得部は、前記分布表示部による分布表示後に受け付けるユーザ操作によって指示された撮影情報の値に対応する画像を前記複数の撮影画像の中から抽出し、該抽出した画像の縮小画像を並べて表示し、該縮小画像を表示後にユーザ操作によって指示された画像についての撮影情報を取得することを特徴とする画像取り扱い装置。
【請求項５】
請求項４に記載の画像取り扱い装置において、
前記分布表示部による分布表示後に受け付けるユーザ操作によって指示された撮影情報の値に対応する画像を、まとめて削除するユーザ操作をさらに受け付けることを特徴とする画像取り扱い装置。
【請求項６】
請求項１〜請求項５のいずれか一項に記載の画像取り扱い装置と、
前記撮影情報送出部から送出された撮影情報に基づいて撮影設定を行う設定部とを備えることを特徴とするカメラ。
【発明の詳細な説明】
【技術分野】
【０００１】
本発明は、画像取り扱い装置、およびカメラに関する。
【背景技術】
【０００２】
撮影情報を分析し、ユーザに撮影アドバイスを行うカメラが知られている（特許文献１参照）。
【先行技術文献】
【特許文献】
【０００３】
【特許文献１】特開２００４−１１２０５４号公報
【発明の概要】
【発明が解決しようとする課題】
【０００４】
撮影済み画像をどんな撮影条件で撮影したかについての撮影情報を把握するには、撮影画像ごとに一枚一枚確認しなければならず、複数画像の撮影情報をその後の撮影に生かすことが困難であった。
【課題を解決するための手段】
【０００５】
本発明による画像取り扱い装置は、複数の撮影画像の縮小画像を並べて表示する画像表示部と、縮小画像の中で指示された画像についての撮影情報を取得する第１撮影情報取得部と、複数の撮影画像の撮影情報をそれぞれ取得する第２撮影情報取得部と、第２撮影情報取得部による取得結果に基づいて撮影情報の値ごとに該当する画像数を示す分布表示を行う分布表示部と、分布表示の中で指示された撮影情報の値に対応する画像についての撮影情報をさらに取得する第３撮影情報取得部と、第１撮影情報取得部または第３撮影情報取得部で取得された撮影情報を送出する撮影情報送出部と、を備えることを特徴とする。
本発明によるカメラは、上記画像取り扱い装置と、撮影情報送出部から送出された撮影情報に基づいて撮影設定を行う設定部とを備えることを特徴とする。
【発明の効果】
【０００６】
本発明によれば、複数画像の撮影情報を有効に利用できる。
【図面の簡単な説明】
【０００７】
【図１】本発明の一実施の形態による一眼レフ電子カメラを上から見た図である。
【図２】図１の電子カメラを背面から見た図である。
【図３】電子カメラの要部構成を説明するブロック図である。
【図４】撮影モードダイアルに表示されているマークを説明する図である。
【図５】撮影モードダイアルに表示されているマークを説明する図である。
【図６】ＣＰＵが実行する撮影情報提供処理の流れを例示するフローチャートである。
【図７】ＣＰＵが実行する撮影情報提供処理の流れを例示するフローチャートである。
【図８】活用方法選択メニュー画面を例示する図である。
【図９】選択項目画面を例示する図である。
【図１０】表示選択メニュー画面を例示する図である。
【図１１】分析表示画面を例示する図である。
【図１２】２軸表示画面を例示する図である。
【図１３】分析表示画面を例示する図である。
【図１４】分析表示画面を例示する図である。
【図１５】分析表示画面を例示する図である。
【図１６】サムネイル画像の一覧表示画面を例示する図である。
【図１７】分布表示画面を例示する図である。
【発明を実施するための形態】
【０００８】
以下、図面を参照して本発明を実施するための形態について説明する。図１は、本発明の一実施の形態による一眼レフ電子カメラを上から見た図である。図１において、電子カメラは、電源スイッチ１１８ａと、レリーズボタン１１８ｃと、情報表示ボタン１１８ｄと、操作ボタン１１８ｅと、撮影モードダイアル１１８ｂと、内蔵フラッシュ装置１０７とアクセサリシュー１２０とを有する。なお、図１は、撮影用交換レンズが電子カメラ本体から外された状態を表している。
【０００９】
図２は、図１の電子カメラを背面から見た図である。図２において、電子カメラは、ファインダ−接眼窓１２１と、十字操作ボタン１１８ｊと、再生ボタン１１８ｆと、メニューボタン１１８ｇと、ヘルプボタン１１８ｈと、ＯＫボタン１１８ｉと、コマンドダイアル１１８ｋと、外部表示装置１１３とを有する。内蔵フラッシュ装置１０７は使用位置と格納位置との間を移動可能に構成されている。図１および図２は、内蔵フラッシュ装置１０７が格納された状態を表している。
【００１０】
図３は、電子カメラの要部構成を説明するブロック図である。演算回路１０１は、マイクロコンピュータなどによって構成される。演算回路１０１は、後述する各ブロックから出力される信号を入力して所定の演算を行い、演算結果に基づく制御信号を各ブロックへ出力する。
【００１１】
撮像素子１０２は、ＣＭＯＳイメージセンサなどによって構成される。撮像素子１０２は、交換レンズ１５０を通過した被写体光による像を撮像し、撮像信号を撮像信号処理部１０４へ出力する。撮像素子１０２は、駆動部１０３から出力される駆動信号によって所定の動作タイミングで駆動される。
【００１２】
撮像信号処理部１０４は撮像素子１０２から出力される光電変換信号（撮像信号）に対するアナログ処理（ゲインコントロールなど）を行い、アナログ処理後の撮像信号をディジタル信号に変換する。
【００１３】
測光装置１０５は、交換レンズ１５０を通して被写体光量を検出し、検出信号を演算回路１０１へ出力する。シーケンス装置１０６は、演算回路１０１からの指示によって不図示のミラーのアップ／ダウン、不図示の絞りの駆動、絞り係止の解除、および不図示のシャッタ装置のチャージなどを行う。
【００１４】
内蔵フラッシュ装置１０７は、演算回路１０１からの指示に応じて所定の光量で発光し、被写体を照明する。通信制御部１１９は、電子カメラに装着されている交換レンズ１５０との間、アクセサリシュー１２０に装着されている不図示の外部フラッシュ装置との間、電子カメラと無線または有線接続されている外部機器（パーソナルコンピュータ等）との間で所定の通信を行う。
【００１５】
操作部材１１８は複数の操作スイッチ、ボタンなどによって構成され、各設定操作に応じて操作信号を演算回路１０１へ出力する。操作部材１１８は、電源スイッチ１１８ａ，撮影モードダイアル１１８ｂ、レリーズボタン１１８ｃ、情報表示ボタン１１８ｄ、操作ボタン１１８ｅ、再生ボタン１１８、メニューボタン１１８ｇ、ヘルプボタン１１８ｈ、ＯＫボタン１１８ｉ、十字操作ボタン１１８ｊ、およびコマンドダイアル１１８ｋを含む。
【００１６】
電源制御部１０８は、演算回路１０１からの指示に応じて各ブロックへの通電オン／オフ制御を行う。電源部１０９は、不図示の電池電圧を各ブロックで必要な電圧へ変換する。また、電源部１０９は所定時間ごとに電池電圧を検出し、検出信号を演算回路１０１へ送出する。ファインダ内表示装置制御部１１０は、演算回路１０１からの指示に応じてファインダ内表示装置１１１の表示制御信号を生成する。ファインダ内表示装置１１１はファインダ−接眼窓１２１から観察可能な位置に配設され、ファインダ内表示装置制御部１１０が生成した表示制御信号を受けて表示を行う。
【００１７】
外部表示装置制御部１１２は、演算回路１０１からの指示に応じて外部表示装置１１３の表示制御信号を生成する。外部表示装置１１３はカラー液晶表示パネルによって構成され、外部表示装置制御部１１２が生成した表示制御信号を受けて表示を行う。
【００１８】
コントローラ１１４は、演算回路１０１からの指示に応じて記録媒体１６０に撮影画像のデータを保存したり、記録媒体１６０に保存しているデータを読み出したりする。記録媒体１６０は、たとえば、メモリカードなどのデータストレージ部材によって構成され、電子カメラに対して着脱可能である。
【００１９】
画像処理部１１５は、演算回路１０１からの指示に応じてディジタル変換後の画像データにホワイトバランス処理などの画像処理を行う他、画像処理後の画像データを所定の形式で圧縮する圧縮処理、圧縮された画像データを伸長する伸長処理などを行う。
【００２０】
ＲＡＭ１１６は演算回路１０１による作業用メモリとして使用される他、外部表示装置１１３に表示されるデータを格納するビデオメモリ(VRAM)として使用される。ＲＯＭ１１７は演算回路１０１が実行するプログラムを格納する。
【００２１】
＜撮影モード＞  
電子カメラは、撮影モードダイアル１１８ｂから入力される操作信号に応じて撮影モードを切替える。具体的には、撮影モードダイアル１１８ｂが回転操作された結果、カメラボディ側の指標に対応する撮影モードダイアル１１８ｂ上の表示マークが示す撮影モードを選ぶ。図４および図５は、撮影モードダイアル１１８ｂに表示されているマークを説明する図である。図４は、撮影条件を電子カメラが自動設定する「簡単モード」群に含まれる撮影モードを示すマークである。図５は、撮影条件の少なくとも一部をユーザが設定する「応用モード」群に含まれる撮影モードを示すマークである。
【００２２】
＜簡単モード群＞
（簡単１）
図４において、マーク４１は「オート」モードに対応する。「オート」モードは、電子カメラが全ての撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２３】
（簡単２）
マーク４２は「発光禁止オート」モードに対応する。「発光禁止オート」は、フラッシュ装置を発光させないように電子カメラが撮影条件を自動設定する撮影モードである。「オート」モードと異なり、内蔵フラッシュ装置１０７およびアクセサリシュー１２０に装着されている外部フラッシュ装置（不図示）のいずれも発光させないように撮影条件を設定する。
【００２４】
（簡単３）
マーク４３は「ポートレート」モードに対応する。「ポートレート」モードは、電子カメラが人物撮影に適した撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２５】
（簡単４）
マーク４４は「風景」モードに対応する。「風景」モードは、電子カメラが風景撮影に適した撮影条件を自動設定する撮影モードである。「風景」モードの電子カメラは、内蔵フラッシュ装置１０７の使用許可／禁止にかかわらず、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２６】
（簡単５）
マーク４５は「子供スナップ」モードに対応する。「子供スナップ」モードは、電子カメラが子供の撮影に適した撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２７】
（簡単６）
マーク４６は「スポーツ」モードに対応する。「スポーツ」モードは、電子カメラが動きのある被写体撮影に適した撮影条件を自動設定する撮影モードである。「スポーツ」モードの電子カメラは、内蔵フラッシュ装置１０７の使用許可／禁止にかかわらず、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２８】
（簡単７）
マーク４７は「クローズアップ」モードに対応する。「クローズアップ」モードは、電子カメラが接写に適した撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２９】
（簡単８）
マーク４８は「夜景ポートレート」モードに対応する。「夜景ポートレート」モードは、電子カメラが夜景をバックに人物撮影するのに適した撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００３０】
＜応用モード群＞
（応用１）
図５において、マーク５１は「マニュアル」モードに対応する。「マニュアル」モードは、露出に関してシャッター速度および絞り値をユーザが設定する撮影モードである。ユーザは、コマンドダイアル１１８ｋを回転操作してシャッター速度および絞り値を設定する。内蔵フラッシュ装置１０７の使用が指示されている場合の電子カメラは、撮影時に内蔵フラッシュ装置１０７を発光させるようにする。内蔵フラッシュ装置１０７の使用が禁止されている場合の電子カメラは、内蔵フラッシュ装置１０７を発光させないようにする。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるようにする。
【００３１】
（応用２）
マーク５２は「絞り優先オート」モードに対応する。「絞り優先オート」モードは、露出に関してユーザが絞り値を設定し、シャッター速度を電子カメラが自動設定する撮影モードである。ユーザは、コマンドダイアル１１８ｋを回転操作して絞り値を設定する。内蔵フラッシュ装置１０７の使用が指示されている場合の電子カメラは、撮影時に内蔵フラッシュ装置１０７を発光させるようにする。内蔵フラッシュ装置１０７の使用が禁止されている場合の電子カメラは、内蔵フラッシュ装置１０７を発光させないようにする。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるようにする。
【００３２】
（応用３）
マーク５３は「シャッター優先オート」モードに対応する。「シャッター優先オート」モードは、露出に関してユーザがシャッター速度を設定し、絞り値を電子カメラが自動設定する撮影モードである。ユーザは、コマンドダイアル１１８ｋを回転操作してシャッター速度を設定する。内蔵フラッシュ装置１０７の使用が指示されている場合の電子カメラは、撮影時に内蔵フラッシュ装置１０７を発光させるようにする。内蔵フラッシュ装置１０７の使用が禁止されている場合の電子カメラは、内蔵フラッシュ装置１０７を発光させないようにする。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるようにする。
【００３３】
（応用４）
マーク５４は「プログラムオート」モードに対応する。「プログラムオート」モードは、露出に関して電子カメラがシャッター速度および絞り値を自動設定する撮影モードである。内蔵フラッシュ装置１０７の使用が指示されている場合の電子カメラは、撮影時に内蔵フラッシュ装置１０７を発光させるようにする。内蔵フラッシュ装置１０７の使用が禁止されている場合の電子カメラは、内蔵フラッシュ装置１０７を発光させないようにする。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるようにする。
【００３４】
＜撮影情報の表示＞
上述したように、電子カメラは「簡単モード」群や「応用モード」群など複数の撮影モードを有しており、それぞれカメラ自身で設定する撮影条件が異なる。このため、ユーザが撮影済み画像に対して撮影時の撮影条件を撮影情報として後から確認できるようにすることは極めて有意義である。本実施形態による電子カメラは、撮影済み画像の撮影情報を外部表示装置１１３に表示する機能に特徴を有するので、以降の説明はこの点を中心に行う。図６および図７は、ＣＰＵ１０１が実行する撮影情報提供処理の流れを例示するフローチャートである。ＣＰＵ１０１は、操作部材１１８から情報表示ボタン１１８ｄの押下を示す操作信号が入力されると、図６による撮影情報提供処理を起動する。
【００３５】
図６のステップＳ１において、ＣＰＵ１０１は、分析範囲（調査対象）の指定操作を受付けてステップＳ２へ進む。ユーザは、操作部材１１８を構成するボタンやダイアルを操作して、撮影情報を調べる範囲（たとえば、調査対象の画像群が格納されているフォルダ、調査対象の画像群が撮影された日時、または調査対象の画像群のファイル名など）を指定する。
【００３６】
ステップＳ２において、ＣＰＵ１０１は、当該撮影情報提供処理の活用方法が「分析表示」であるか「画像抽出」であるかを判定する。ＣＰＵ１０１は、たとえば図８に例示する「活用方法選択メニュー」画面を外部表示装置１１３に表示させ、ユーザからの選択操作を受付ける。ＣＰＵ１０１は、「分析表示」がチェックされた状態でＯＫボタン１１８ｉが押下された場合にステップＳ３へ進む。ＣＰＵ１０１は、「画像抽出」がチェックされた状態でＯＫボタン１１８ｉが押下された場合には、図７のステップＳ１２へ進む。
【００３７】
ステップＳ３〜ステップＳ１１までは「分析表示」処理を行う。ステップＳ３において、ＣＰＵ１０１は、分析表示する撮影情報の項目を選ぶ項目選択操作を受付ける。ＣＰＵ１０１は、たとえば図９に例示する選択項目画面を外部表示装置１１３に表示させる。図９において、選択項目として「シャッター速度」、「絞り」、「ISO感度」、「露出モード」、「ＡＦ、ＭＦ」、「レンズ」、「焦点距離」、「撮影距離」、「撮影倍率」、「ＶＲ」、「画像サイズ」、「縦横比」、「ＷＢ」、「ピクチャーコントロール」、「ＳＢ関係」、「露出・階調」、「ドライブモード」などが表示されている。ユーザは、十字操作ボタン１１８ｊを操作して、「分析表示」させたい項目上へポインタＰを移動させる。ＣＰＵ１０１は、ＯＫボタン１１８ｉが押下された場合にはポインタＰに対応する項目を選択する。なお、本実施形態では複数の項目が選択可能であり、図９の場合は３つの項目（シャッター速度、絞り、ISO感度）がポインタＰ１、Ｐ２およびＰ３によって選択されている。
【００３８】
「露出モード」は、たとえば上述した「応用１」〜「応用４」に対応する。「ＡＦ、ＭＦ」は、フォーカス調節モードの設定内容を表す。「レンズ」は、交換レンズ１５０の種別を表す。「焦点距離」は、交換レンズ１５０の焦点距離を表す。「撮影距離」は、主要被写体までの距離を表す。「撮影倍率」は、交換レンズ１５０の倍率を表す。「ＶＲ」は、防振機能のオン／オフを表す。「画像サイズ」は、画像を構成するピクセル数を表す。縦横比は、画像の縦横比率を表す。「ＷＢ」は、ホワイトバランス設定内容を表す。「ピクチャーコントロール」は、画質調整に用いるアルゴリズムの種別を表す。「ＳＢ関係」は、たとえばフラッシュ装置１０７の発光レベル、撮影距離、および発光モードの組合わせを表す。「露出・階調」は、たとえば「白飛びや黒潰れ」、「ＡＤＬ設定」、および「露出補正」の組合わせを表す。ＡＤＬ設定は、ハイライト部の画像データが飽和しないように、適正露出よりもアンダーで撮像した画像データに対して後から階調調整を行う処理をいう。「ドライブモード」は、単写か連写かを表す。
【００３９】
ステップＳ４において、ＣＰＵ１０１は、表示形式を選ぶ表示形式選択操作を受付ける。ＣＰＵ１０１は、上述した「シャッター速度」および「絞り」の双方が選択された場合には、図１０に例示する「表示選択メニュー」画面を外部表示装置１１３に表示させ、ユーザからの選択操作を受付ける。ＣＰＵ１０１は、「２軸表示」がチェックされた状態でＯＫボタン１１８ｉが押下された場合は２軸表示を行う。ＣＰＵ１０１は、「１軸表示」がチェックされた状態でＯＫボタン１１８ｉが押下された場合には、１軸表示を行う。なお、ＣＰＵ１０１は、「シャッター速度」および「絞り」の少なくとも一方が選択されていない場合には、ステップＳ４をスキップする。
【００４０】
ステップＳ５において、ＣＰＵ１０１は、分析結果を外部表示装置１１３に表示させる。図１１は、上記ステップＳ３において「シャッター速度」、「絞り」および「ISO感度」が選択されており、かつ上記ステップＳ４において「１軸表示」が選択されている場合の分析表示画面を例示する図である。調査対象の画像群の撮影情報のうち、「シャッター速度」、「絞り」、および「ISO感度」のそれぞれの分布を表す１軸表示がなされている。１軸表示における縦軸は、該当する画像の枚数を表す。
【００４１】
図１２は、２軸表示画面を例示する図である。ＣＰＵ１０１は、上記ステップＳ３において少なくとも「シャッター速度」および「絞り」が選択されており、かつ上記ステップＳ４において「２軸表示」が選択されている場合には、図１２に例示する分析表示画面を表示させる。調査対象の画像群の撮影情報のうち、「シャッター速度」および「絞り」の二次元分布を表す２軸表示がなされている。
【００４２】
図１３は、上記ステップＳ３において「露出・階調」が選択されている場合の分析表示画面を例示する図である。調査対象の画像群の撮影情報のうち、「露出・階調」に関する組合わせとして「白飛び、黒つぶれ」、「ＡＤＬ設定」、および「露出補正」のそれぞれの分布を表す１軸表示がなされている。ＣＰＵ１０１は、たとえば「露出補正」のように±０の中央値がある場合、上記中央値と、調査対象に含まれる画像群における分布の中央値との乖離を示す表示をさせる。また、「白飛び、黒つぶれ」の場合には、良（白飛びも黒つぶれも生じていない状態）と、調査対象に含まれる画像群における白飛び（または黒潰れ）の分布の中央値との乖離を示す表示をさせる。
【００４３】
図６のステップＳ６において、ＣＰＵ１０１は、「分析表示」する項目の追加指示が行われたか否かを判定する。ＣＰＵ１０１は、たとえば操作ボタン１１８ｅが押下操作されると、図９に例示した「選択項目」画面を外部表示装置１１３に再び表示させ、ユーザからの追加操作を受付ける。ユーザは、操作部材１１８を構成するボタンを操作して、「分析表示」させたい項目を選ぶ。
【００４４】
図１４は、「ＳＢ関係」が選択されている場合の分析表示画面を例示する図である。調査対象の画像群の撮影情報のうち、フラッシュ装置１０７の発光レベル、撮影距離、および発光モードの組合わせの分布を表す１軸表示がなされている。図１５は、「露出モード」および「ＷＢ」が選択されている場合の分析表示画面を例示する図である。図１５の場合は、それぞれ「露出モード」および「ＷＢ」の設定内容がレーダーチャートとして表されている。
【００４５】
ステップＳ７において、ＣＰＵ１０１は、分析表示画面を表示中に特定の設定内容を選択する操作が行われたか否かを判定する。具体的には、外部表示装置１１３に表示されている分析表示画面の中から、ユーザによる任意の項目を選択する操作を受付ける。ユーザは、図１１に例示した分析表示画面が表示されている状態で十字操作ボタン１１８ｊを操作し、たとえば絞り「Ｆ８」の表示位置へポインタ（不図示）を移動させる。ＣＰＵ１０１は、ＯＫボタン１１８ｉが押下された場合にはステップＳ７を肯定判定してステップＳ８へ進む。ＣＰＵ１０１は、ＯＫボタン１１８ｉが押下されない場合にはステップＳ７を否定判定してステップＳ１１へ進む。
【００４６】
ステップＳ８において、ＣＰＵ１０１は、調査対象の画像群の中から上記選択操作に合致する画像を抽出し、それらのサムネイル画像を外部表示装置１１３に並べて表示させる。上述したように、絞り「Ｆ８」の表示位置にポインタが存在する状態でＯＫボタン１１８ｉが押下された場合には、絞り値が「Ｆ８」で撮影された画像のサムネイル画像を図１６に例示するように並べて表示させる。
【００４７】
ステップＳ９において、ＣＰＵ１０１は、外部表示装置１１３に表示されているサムネイル画像の一覧表示画面の中から、ユーザによる任意のサムネイルを選択する操作を受付ける。ユーザは、図１６に例示したサムネイル一覧表示画面が表示されている状態で十字操作ボタン１１８ｊを操作し、任意のサムネイル画像上へポインタＰを移動させる。ＣＰＵ１０１は、ＯＫボタン１１８ｉが押下された場合には、ポインタＰの位置のサムネイル画像に対応する画像ファイルのExif情報を読出し、読出し情報に基づいて次に撮影する際の撮影条件を設定してステップＳ１１へ進む。この設定は、個々の撮影条件を個別に設定操作することなしに、ＣＰＵ１０１が自動的に設定する。
【００４８】
ステップＳ１１において、ＣＰＵ１０１は終了操作が行われたか否かを判定する。ＣＰＵ１０１は、操作部材１１８から情報表示ボタン１１８ｄの押下を示す操作信号が入力されるとステップＳ１１を肯定判定し、図６による撮影情報提供処理を終了する。ＣＰＵ１０１は、操作部材１１８から情報表示ボタン１１８ｄの押下を示す操作信号が入力されない場合には、ステップＳ１１を否定判定してステップＳ７へ戻る。
【００４９】
ステップＳ１２〜ステップＳ２０までは「画像抽出」処理を行う。上述したステップＳ２を分岐して進む図７のステップＳ１２において、ＣＰＵ１０１は、撮影情報の中から画像抽出に用いる項目（ステップＳ１３において分布表示する項目）を選ぶ項目選択操作を受付ける。ＣＰＵ１０１は、図９に例示する「選択項目」画面を外部表示装置１１３に表示させ、ステップＳ３の場合と同様の処理を行う。
【００５０】
ステップＳ１３において、ＣＰＵ１０１は、図１７に例示するように、ステップＳ１２で選択した項目に関する画像の分布を外部表示装置１１３に表示させてステップＳ１４へ進む。図１７は、上記ステップＳ１２において「焦点距離」および「撮影距離」が選択されている場合の分布表示画面を例示する図である。調査対象の画像群の撮影情報のうち、「焦点距離」および「撮影距離」のそれぞれの分布を表す１軸表示がなされている。
【００５１】
図７のステップＳ１４において、ＣＰＵ１０１は、分布表示する項目の追加指示が行われたか否かを判定する。ＣＰＵ１０１は、たとえば操作ボタン１１８ｅが押下操作されると、ステップＳ１４を肯定判定してステップＳ１２へ戻る。ＣＰＵ１０１は、操作ボタン１１８ｅが押下操作されない場合は、ステップＳ１４を否定判定してステップＳ１５へ進む。ステップＳ１２へ戻る場合のＣＰＵ１０１は、図９に例示した「選択項目」画面を再度外部表示装置１１３に表示させ、ユーザからの追加操作を受付ける。ユーザは、操作部材１１８を構成するボタンを操作して、分布表示させたい項目を選ぶ。これにより、該当する画像数が多い場合には引き続いて項目を追加することによって、さらに絞り込みを行うことができる。
【００５２】
ステップＳ１５において、ＣＰＵ１０１は、分布表示画面を表示中に特定の設定内容を選択する操作が行われたか否かを判定する。具体的には、外部表示装置１１３に表示されている分布表示画面の中から、ユーザが任意の項目を選択する操作を受付ける。ユーザは、たとえば図１７に例示した分布表示画面が表示されている状態で十字操作ボタン１１８ｊを操作し、焦点距離「５０mm」の表示位置へポインタＰ１を移動させる。ＣＰＵ１０１は、ＯＫボタン１１８ｉが押下された場合にはステップＳ１５を肯定判定してステップＳ１６へ進む。ＣＰＵ１０１は、ＯＫボタン１１８ｉが押下されない場合にはステップＳ１５を否定判定してステップＳ２０へ進む。なお、本実施形態では複数の項目が選択可能であり、図１７の場合は２つの項目（焦点距離「５０mm」、撮影距離「１〜５m」）がポインタＰ１およびＰ２によって選択されている。
【００５３】
図１７に例示した分布表示画面において、ポインタＰ１やポインタＰ２によって選択されている設定内容に該当する画像を、まとめて削除することが可能に構成されている。
【００５４】
ステップＳ１６において、ＣＰＵ１０１は、調査対象の画像群の中から上記選択操作に合致する画像を抽出し、抽出画像のサムネイル画像を外部表示装置１１３に並べて一覧表示させる。たとえば、上述したポインタＰ１、Ｐ２が存在する状態でＯＫボタン１１８ｉが押下された場合には、焦点距離「５０mm」かつ撮影距離「１〜５m」で撮影された画像のサムネイル画像を図１６の場合と同様に外部表示装置１１３に並べて一覧表示させる。
【００５５】
ステップＳ１７において、ＣＰＵ１０１は、外部表示装置１１３に表示されているサムネイル画像の一覧表示画面の中から、ユーザが任意のサムネイルを選択する操作を受付ける。ユーザは、たとえば図１６に例示したサムネイル一覧表示画面が表示されている状態で十字操作ボタン１１８ｊを操作し、任意のサムネイル画像上へポインタＰを移動させ、ステップＳ１８へ進む。
【００５６】
ステップＳ１８において、ＣＰＵ１０１は、「分析表示」するか否かを判定する。ＣＰＵ１０１は、たとえば操作ボタン１１８ｅが押下操作されるとステップＳ１８を肯定判定して図６のステップＳ５へ進み、上述した「分析表示」処理へ移行する。ＣＰＵ１０１は、操作ボタン１１８ｅが押下操作されない場合にはステップＳ１８を否定判定し、ステップＳ１９へ進む。
【００５７】
ステップＳ１９へ進んだＣＰＵ１０１は、ステップＳ１７で選択したサムネイル画像に対応する画像ファイルのExif情報を読出し、読出し情報に基づいて次に撮影する際の撮影条件を設定してステップＳ２０へ進む。この設定は、個々の撮影条件を個別に設定操作することなしに、ＣＰＵ１０１が自動的に設定する。
【００５８】
ステップＳ２０において、ＣＰＵ１０１は終了操作が行われたか否かを判定する。ＣＰＵ１０１は、操作部材１１８から情報表示ボタン１１８ｄの押下を示す操作信号が入力されるとステップＳ２０を肯定判定し、図７による撮影情報提供処理を終了する。ＣＰＵ１０１は、操作部材１１８から情報表示ボタン１１８ｄの押下を示す操作信号が入力されない場合には、ステップＳ２０を否定判定してステップＳ１５へ戻る。
【００５９】
以上説明した実施形態によれば、次の作用効果が得られる。
（１）電子カメラは、複数の調査対象の画像のサムネイル画像を並べて表示する外部表示装置１１３と、サムネイル画像の中で指示された画像についての撮影情報を取得するＣＰＵ１０１と、複数の調査対象の画像の撮影情報をそれぞれ取得するＣＰＵ１０１と、ＣＰＵ１０１による取得結果に基づいて撮影情報の値ごとに該当する画像数を示す分布表示を行う外部表示装置１１３と、分布表示の中で指示された撮影情報の値に対応する画像についての撮影情報をさらに取得するＣＰＵ１０１と、ＣＰＵ１０１で取得された撮影情報を送出するＣＰＵ１０１と、を備えるようにしたので、複数の画像における撮影情報を有効に利用できる。
【００６０】
（２）上記（１）の電子カメラにおいて、ＣＰＵ１０１は、外部表示装置１１３による表示後に受付けるユーザ操作によって指示された画像についての撮影情報を取得するので、表示されているサムネイル画像の中からユーザによって選ばれた画像についての撮影情報を取得することができる。
【００６１】
（３）上記（１）の電子カメラにおいて、外部表示装置１１３は、ＣＰＵ１０１で取得された撮影情報の項目を並べて表示し、該表示後にユーザ操作によって指示された項目の値ごとに該当する画像数を示す分布表示を行うようにしたので、表示されている撮影情報の項目の中からユーザによって選ばれた項目について、該当する画像数を示す分布表示をさせることができる。
【００６２】
（４）上記（１）の電子カメラにおいて、ＣＰＵ１０１は、外部表示装置１１３による分布表示後に受け付けるユーザ操作によって指示された撮影情報の値に対応する画像を複数の調査対象の画像の中から抽出し、該抽出した画像のサムネイル画像を並べて表示し、該サムネイル画像を表示後にユーザ操作によって指示された画像についての撮影情報を取得するようにした。これにより、表示されている分布の中からユーザによって選ばれた撮影情報の値に対応する画像のサムネイル画像を並べて表示させることができる。さらに、表示されているサムネイル画像の中からユーザによって選ばれた画像についての撮影情報を取得することができる。
【００６３】
（５）上記（４）の電子カメラにおいて、外部表示装置１１３による分布表示後に受け付けるユーザ操作によって指示された撮影情報の値に対応する画像を、まとめて削除するユーザ操作をさらに受け付けるようにしたので、表示されている分布の中からユーザによって選ばれた撮影情報の値に対応する画像の一括削除が容易になる。
【００６４】
（６）上記電子カメラにおいて、送出された撮影情報に基づいて撮影設定を行うＣＰＵ１０１とを備えるようにしたので、特定の画像を撮影したときの撮影情報を簡単に次の撮影に反映させることができる。
【００６５】
（変形例１）
上述した説明では、「露出補正」のように±０の中央値がある場合に該中央値と調査対象の画像群における分布の中央値との乖離を示す表示を行う例を説明した。これに加えて、たとえば「絞り値」に関する分析表示において、ユーザが操作部材１１８を操作して指定した任意の値（たとえばＦ８）と、調査対象の画像群における分布の中央値との乖離を示す表示を行うようにしてもよい。このような乖離表示により、調査対象の画像群が分析表示項目においてどのような傾向を有しているか（相対位置）を細かく知らせることができる。
【００６６】
（変形例２）
分析表示画面における２軸表示の例として、「シャッター速度」および「絞り」を例示したが、フラッシュ装置１０７の「ガイドナンバー」と「絞り」との関係を２軸表示するようにしてもよい。この場合のＣＰＵ１０１は、ステップＳ３において少なくとも「ガイドナンバー」および「絞り」が選択されており、かつステップＳ４において「２軸表示」が選択されている場合には、図１２と同様の分析表示画面を表示させる。すなわち、調査対象の画像群の撮影情報のうち、「ガイドナンバー」および「絞り」の二次元分布を表す２軸表示を行う。
【００６７】
以上の説明はあくまで一例であり、上記の実施形態の構成に何ら限定されるものではない。
【符号の説明】
【００６８】
１０１…ＣＰＵ
１０５…測光装置
１１３…外部表示装置
１１８…操作部材
【図１】
2013172418.tif 000003
【図２】
2013172418.tif 000004
【図３】
2013172418.tif 000005
【図４】
2013172418.tif 000006
【図５】
2013172418.tif 000007
【図６】
2013172418.tif 000008
【図７】
2013172418.tif 000009
【図８】
2013172418.tif 000010
【図９】
2013172418.tif 000011
【図１０】
2013172418.tif 000012
【図１１】
2013172418.tif 000013
【図１２】
2013172418.tif 000014
【図１３】
2013172418.tif 000015
【図１４】
2013172418.tif 000016
【図１５】
2013172418.tif 000017
【図１６】
2013172418.tif 000018
【図１７】
2013172418.tif 000019